(57)【要約】筋肉の深部に刺激を供給すると共に形状が小型でかつ主働筋と拮抗筋への最適なタイミングで刺激を供給する痩身および健康増進用高周波電流駆動システムを提供する。複数の電極とこの電極と電気的に接続される高周波電流を発生させる高周波駆動装置からなる高周波電流駆動システムにおいて、特定の振幅で特定の周波数からなるパルスを特定の時間間隔をおいて複数の筋肉に印加して筋肉を収縮および伸張させて筋肉にエネルギーを消費させることで痩身および健康増進させる。
2004000194.tif 000002
【特許請求の範囲】
【請求項１】
複数の電極とこの電極と電気的に接続される高周波電流を発生させる高周波駆動装置からなる高周波電流駆動システムにおいて、特定の振幅で特定の周波数からなるパルスを特定の時間間隔をおいて複数の筋肉に印加して通常の運動状態と同様に筋肉を収縮および伸張させて複数の筋肉にエネルギーを消費させることで痩身させる痩身および健康増進用高周波電流駆動システム。
【請求項２】
電極は、絶縁体からなる２枚の板部をその一点を支点としてそれぞればねと係合させることで一端を挟み込むよう付勢されるクリップ電極と、導体が接触面に貼付されその対面は絶縁物等からなるプレート電極と、ベルト内側に導体からなる電極を設けその外側が絶縁体で覆われてその絶縁体のさらに外側に固定用のベルトが配置されるベルト電極であることを特徴とする請求項１記載の痩身および健康増進用高周波電流駆動システム。
【請求項３】
複数の筋肉は、対となる主働筋と拮抗筋とからなり第一の電極が主働筋に配置され第二の電極が拮抗筋に配置されることを特徴とする請求項１乃至２記載の痩身および健康増進用高周波電流駆動システム。
【請求項４】
複数の筋肉である主働筋を収縮させる際に主働筋が負荷を加えられながら収縮して拮抗筋を収縮させるように電極から印加されることを特徴とする請求項３記載の痩身および健康増進用高周波電流駆動システム。
【請求項５】
複数の筋肉が四肢の一部である場合には、四肢端部に荷重等の負荷を印加した状態で特定の振幅で特定の周波数からなるパルスを特定の時間間隔をおいて複数の筋肉に印加することを特徴とする請求項１乃至４いずれか記載の痩身および健康増進用高周波電流駆動システム。
【請求項６】
高周波駆動装置は、制御装置と記憶装置と出力変調装置と出力増幅装置とから構成されることを特徴とする請求項１乃至５いずれか記載の痩身および健康増進用高周波電流駆動システム。
【請求項７】
記憶装置は、パルスの振幅と周波数とパルスの発生時間間隔を記憶するための装置であることを特徴とする請求項１乃至６いずれか記載の痩身および健康増進用高周波電流駆動システム。
【請求項８】
出力変調装置は、制御装置の制御に従って出力信号の周波数や波形を決定する装置であることを特徴とする請求項１乃至７いずれか記載の痩身および健康増進用高周波電流駆動システム。
【請求項９】
出力増幅装置は、制御装置の制御に従って出力電流の振幅や基準電圧を決定する装置であることを特徴とする請求項１乃至８いずれか記載の痩身および健康増進用高周波電流駆動システム。
【請求項１０】
制御装置は第一の電極を高周波電流で駆動し特定の時間間隔をあけて後に第２の電極を高周波電流で駆動することを特徴とする請求項８記載の痩身および健康増進用高周波電流駆動システム。
【請求項１１】
複数の電極とこの電極と電気的に接続される高周波電流を発生させる高周波駆動装置において、特定の振幅で特定の周波数からなるパルスを特定の時間間隔をおいて複数の筋肉に印加して通常の運動状態と同様に筋肉を収縮および伸張させて複数の筋肉にエネルギーを消費させることで痩身させる痩身および健康増進用高周波駆動装置。
【請求項１２】
高周波駆動装置は、制御装置と記憶装置と出力変調装置と出力増幅装置とから構成されることを特徴とする請求項１１記載の痩身および健康増進用高周波駆動装置。
【請求項１３】
記憶装置は、パルスの振幅と周波数とパルスの時間間隔を記憶するための装置であることを特徴とする請求項１１乃至１２いずれか記載の痩身および健康増進用高周波駆動装置。
【請求項１４】
出力変調装置は、制御装置の制御に従って出力電流の周波数や波形を決定する装置であることを特徴とする請求項１１乃至１３いずれか記載の痩身および健康増進用高周波駆動装置。
【請求項１５】
出力増幅装置は、制御装置の制御に従って出力電流の振幅や基準電圧を決定する装置であることを特徴とする請求項１１乃至１４いずれか記載の痩身および健康増進用高周波駆動装置。
【請求項１６】
複数の電極とこの電極と電気的に接続される高周波電流を発生させる高周波駆動装置からなる高周波電流駆動システムを用いて、特定の振幅で特定の周波数からなるパルスを特定の時間間隔をおいて複数の筋肉に印加して通常の運動状態と同様に筋肉を収縮および伸張させて複数の筋肉にエネルギーを消費させることで痩身させる痩身および健康増進用高周波電流駆動プログラム。
【請求項１７】
複数の電極は、第１の電極が主働筋に取り付けられて第２の電極が主働筋に対応する拮抗筋に取り付けられ第１の電極に高周波電流が印加された後に第２の電極に高周波電流が印加されることを特徴とする請求項１６記載の痩身および健康増進用高周波電流駆動プログラム。
【請求項１８】
高周波駆動装置は、高周波印加頻度を変更可能であることを特徴とする請求項１６または１７記載の痩身および健康増進用高周波電流駆動プログラム。
【請求項１９】
複数の電極は、第１の電極が主働筋に取り付けられて第２の電極が主働筋に対応する拮抗筋に取り付けられ第１の電極に高周波電流が印加された後に第２の電極に高周波電流が印加されることを特徴とする請求項１乃至１０いずれか記載の痩身および健康増進用高周波電流駆動システム。
【請求項２０】
複数の電極は、第１の電極が主働筋に取り付けられて第２の電極が主働筋に対応する拮抗筋に取り付けられ第１の電極に高周波電流が印加された後に第２の電極に高周波電流が印加されることを特徴とする請求項１１乃至１５いずれか記載の痩身および健康増進用高周波駆動装置。
【請求項２１】
ベッド本体の基礎を構成するベッド脚部と、脚部同士を接合してボトムを形成するベッドフレームと、ベッドフレーム上に載置されるベッドマットと、ベッドマット上に載置されて上体支持部と、前記上体支持部と回転軸を介して連設される腹部支持部と、前記腹部支持部と第２回転軸を介して連設される大腿部支持部と、前記大腿部支持部と第３回転軸を介して連接される脛部支持部と、脛部支持部と垂直に接合される足支持部と、各支持部と接合されて駆動する各アクチュエータ部とを備えることを特徴とする請求項１乃至２０いずれか記載の痩身および健康増進用高周波駆動装置。
【請求項２２】
ベッドマットは、長辺方向の中央部が窪む凹部形状であることを特徴とする請求項２１記載の痩身および健康増進用高周波駆動装置。
【請求項２３】
作動時に上体支持部と腹部支持部とのなす角度を鈍角とすることを特徴とする請求項２１または２２に記載の痩身および健康増進用高周波駆動装置。
【請求項２４】
作動時に腹部支持部と大腿部支持部とのなす角度を鈍角とすることを特徴とする請求項２１または２２に記載の痩身および健康増進用高周波駆動装置。
【請求項２５】
作動時に大腿部支持部と脛部支持部とのなす角度を鈍角とすることを特徴とする請求項２１または２２に記載の痩身および健康増進用高周波駆動装置。
【請求項２６】
アクチュエータが油圧で駆動されることを特徴とする請求項２１記載の痩身および健康増進用高周波駆動装置。
【請求項２７】
アクチュエータが電気モータで駆動されることを特徴とする請求項２１記載の痩身および健康増進用高周波駆動装置。
【発明の詳細な説明】
【技術分野】  本発明は、高周波電流で筋肉を刺激してエネルギーを消費させる痩身および健康増進用高周波電流駆動システムおよび痩身および健康増進用高周波電流駆動装置に関する。
【背景技術】  現在の社会情勢がこのまま続いた場合に先進国を中心として、今後、肥満および過体重による生活習慣病の弊害は世界的な問題となることが予想される。生活習慣病から起きる高齢者の疾患は、高齢者の生活の質を低下させるとともに保険制度においても医療費の増大につながる問題を生じさせる。
従って、筋肉量を保ち、太り難い体を作ることが医療現場での急務となる。このことは、世界的に見ても言える傾向である。世界経済の拡大によってこれまで、全世界の人口における割合で略１０％が経済競争に参加していたが、今後約３０％に増大する様になると、肥満もしくは運動不足による弊害を持つ人は遥かに多くなり、健康問題において重大な課題となる。
一方、筋力を増加させる方法に対するニーズは複数存在する。すなわち、脳卒中罹患後等の患者のリハビリテーションに対するニーズや、健常者の肥満、運動不足対策等のニーズがあげられる。リハビリテーションは特に、専門家の指導と特殊な用具等を必要として在宅での実施は軽度な場合を除いて困難である。肥満、運動不足対策等のニーズは、その対策として十分な時間的余裕を持って運動により必要なカロリー消費ができるのは一部の富裕層のみであり、その他の富裕層や一般の労働者の場合十分な時間的余裕を確保することが困難である。
そこで、多くの人の運動不足を改善する健康法の必要性があり、既に生体に電気刺激を印加して痩身する技術が提案されている。例えば、４ｋＨｚの低周波による痩身器具が、特開平１０−５７５０６号に開示されている。１対の導子間に周波数４ｋＨｚ乃至６ｋＨｚでかつ継続時間が２００ｍｓ程度の交流微弱電圧を、毎分２０回乃至４０回の割合で１０分乃至２０分の間、繰返し継続的に印加する痩身方法である。
また、特開２００１−２５９０４８号公報では、２．８ＫＨｚの矩形波を印加する装置が開示されている。
さらに、その印加点を主働筋と拮抗筋と指定した筋力増強器が開示され、電気的刺激を与えて筋肉を収縮される旨が記載されている。
他にも、特開平１１−２９０４６２号公報では、低周波治療具におけるクリップが図１に開示され、段落０００５に低周波発生装置の電極として身体の一部へ使用している。
その上、特開２００１−４６５２０号公報では、段落００１３及び図１、図２に示されるように平板および金網形状の電極が開示され、患部へ超短波治療を行なうものとして開示されている。
一方、特開２０００−２７９５３６号公報には、段落００４８と図８に筋力増強器を装着させて主導筋である大腿屈筋を能動的に収縮し、拮抗筋である大腿四頭筋を伸張させる様子が開示されている。
さらに、米国特許公報第５２８５７８１号公報には、コラム８第１７行〜２５行に、記憶装置やマイクロコンピュータの記事が開示され、また、図４〜９に刺激信号としてのインパルスの振幅や繰り返し周波数について開示されている。対応する日本の公報として特開平４−２３１０７３号公報が開示される。
そして、特開２００１−３３３９９０号公報は、パルス信号を時間の間隔をおいて複数の筋肉に印加する点が開示されている。
しかしながら、従来の低周波電圧の印加では必ずしも十分な刺激を与えられなかった。すなわち、低周波電圧では皮膚層より深部に到達せず筋肉にまで低周波電圧が到達しないという問題があった。
一方、高周波電圧印加方式では電極を真空吸引式することでバキュームポンプが必要となる。このバキュームポンプにより本体の形状が大きくなる問題が生じていた。低周波電圧の印加装置は、形状が小型であるため携帯しやすく個人が家庭で使用するのにも不便が無いが、高周波電圧の印加装置は、形状が大型であり携帯性に困難が生じていた。
また、主働筋や拮抗筋に印加する場合にも、印可するタイミングによっては十分な効果が得られていなかった。また、主導筋と拮抗筋とに印加する場合に、それぞれの筋肉がどのような状態で印加されるべきかについて示されたものが無かった。このために、十分な筋肉の収縮と伸張が十分になされず十分な痩身効果が得られていなかった。
さらに、電極の装着に時間がかかり、余程の勤勉な人でなければ長期に渡って使用し続けることが困難であった。
その上、電圧や電流を高くすることで刺激到達深度を深くすることができるが、高めることで非常に痛みを伴うため実用的でない。しかも、筋肉の収縮による運動消費量を増加させるには内部の筋肉であるインナーマッスルにも刺激を印加すると共に、４００個存在する骨格筋の８０％程度の筋肉を筋肉収縮させる必要があり、必要な深度の筋肉に電気刺激を送り込めなければ、全身運動相当のエネルギーを消費することもできない。
また、筋肉に大きな電流を印加することで、筋肉を強収縮させる提案もなされているが、このような運動は無酸素運動と略等しくなり、筋肉内の糖質やグリコーゲンを分解するのみであり、体脂肪を筋肉運動として利用する割合はかえって低下する。筋肉の強収縮を続けると消費カロリーが低下することがわかっており、酸素消費で判断されるため、無酸素運動では体脂肪の消費量が低下するためである。
すなわち、筋肉収縮させる装置は既に提案されており、筋力アップとなることは確認されているが、必ずしも実際の体脂肪消費の効果が得られていない。
既になされている実験結果によれば、印加電流を強くすることで筋肉への刺激を増大させることで、筋肉を強収縮させるが身体全体の消費カロリーが減少することが確認されている。
また、既に提案されている装置では、筋肉の収縮強度を高くするあまり印加電流を７０ｍＡとする装置も存在するが、筋肉の深部に届くことなく、かえって痛みを伴う不快感が増すだけである。
さらに、従来の装置では、最も多かった電極数は、刺激筋肉の数にして６本である。しかし、これまでの知見では、略全身の筋肉群を刺激し筋収縮を繰り返させないと骨格筋で運動のようにエネルギー消費をさせる意味はない。
そこで、本発明の目的は、筋肉の深部に刺激を供給すると共に形状が小型でかつ主働筋と拮抗筋への最適なタイミングで刺激を供給する痩身および健康増進用高周波電流駆動システムの提供にある。
【発明の開示】
複数の電極とこの電極と電気的に接続される高周波電流を発生させる高周波駆動装置からなる高周波電流駆動システムにおいて、特定の振幅で特定の周波数からなるパルスを特定の時間間隔をおいて複数の筋肉に印加して通常の運動状態と同様に筋肉を収縮および伸張させて複数の筋肉にエネルギーを消費させることで痩身させることができる。
電極は、絶縁体からなる２枚の板部をその一点を支点としてそれぞればねと係合させることで一端を挟み込むよう付勢されるクリップ電極と、導体が接触面に貼付されその対面は絶縁物等からなるプレート電極と、ベルト内側に導体からなる電極を設けその外側が絶縁体で覆われてその絶縁体のさらに外側に固定用のベルトが配置されるベルト電極であることを特徴とする。
この電極は、複数の筋肉は、対となる主働筋と拮抗筋とからなり第一の電極が主働筋に配置され第二の電極が拮抗筋に配置されてもよい。
複数の筋肉である主働筋を収縮させる際に主働筋が負荷を加えられながら収縮して拮抗筋を収縮させるように電極から印加されてもよい。
また、複数の筋肉が四肢の一部である場合には、四肢端部に荷重等の負荷を印加した状態で特定の振幅で特定の周波数からなるパルスを特定の時間間隔をおいて複数の筋肉に印加することもできる。
さらに、高周波駆動装置は、制御装置と記憶装置と出力変調装置と出力増幅装置とから構成されてもよく、記憶装置は、パルスの振幅と周波数とパルスの時間間隔を記憶するための装置であってもよい。
そして、出力変調装置は、制御装置の制御に従って出力電流の周波数や波形を決定する装置であってもよく、制御装置の制御に従って出力電流の振幅や基準電圧を決定する装置であてもよい。
その上、制御装置は第一の電極を高周波電流で駆動し特定の時間間隔をあけて後に第２の電極を高周波電流で駆動することもできる。
本願発明に係る痩身用高周波駆動装置は、複数の電極とこの電極と電気的に接続される高周波電流を発生させる高周波駆動装置において、特定の振幅で特定の周波数からなるパルスを特定の時間間隔をおいて複数の筋肉に印加して通常の運動状態と同様に筋肉を収縮および伸張させて複数の筋肉にエネルギーを消費させることで痩身させる。
本願発明に係る痩身用高周波電流駆動プログラムは、複数の電極とこの電極と電気的に接続される高周波電流を発生させる高周波駆動装置からなる高周波電流駆動システムを用いて、特定の振幅で特定の周波数からなるパルスを特定の時間間隔をおいて複数の筋肉に印加して筋肉を収縮および伸張させて筋肉にエネルギーを消費させることで痩身させる。
また、複数の電極は、第１電極が主働筋に取り付けられて第２の電極が主働筋に対応する拮抗筋に取り付けられ第１の電極に高周波電流が印加された後に第２の電極に高周波電流が印加されることもできる。
また、本発明に係る痩身および健康増進用高周波駆動装置は、ベッド本体の基礎を構成するベッド脚部と、脚部同士を接合してボトムを形成するベッドフレームと、ベッドフレーム上に載置されるベッドマットと、ベッドマット上に載置されて上体支持部と、前記上体支持部と回転軸を介して連設される腹部支持部と、前記腹部支持部と第２回転軸を介して連設される大腿部支持部と、前記大腿部支持部と第３回転軸を介して連接される脛部支持部と、脛部支持部と垂直に接合される足支持部と、各支持部と接合されて駆動する各アクチュエータ部とを備えることを特徴とする。
ベッドマットは、長辺方向の中央部が窪む凹部形状であってもよい。また、作動時に上体支持部と腹部支持部とのなす角度を鈍角としてもよい。さらに、作動時に腹部支持部と大腿部支持部とのなす角度を鈍角としてもよい。そして、作動時に大腿部支持部と脛部支持部とのなす角度を鈍角としてもよい。
アクチュエータが油圧で駆動されてもよい。アクチュエータが電気モータで駆動されることを特徴とする請求項２１記載の痩身および健康増進用高周波駆動装置。
【図面の簡単な説明】  図１は、本発明に係る痩身および健康増進用高周波電流駆動システムの構成図、
図２は、本発明に係る痩身および健康増進用高周波電流駆動システムのブロック図、
図３は、本発明に係る痩身および健康増進用高周波電流駆動システムの主働筋への電極配置図、
図４は、本発明に係る痩身および健康増進用高周波電流駆動システムの拮抗筋への電極配置図、
図５は、本発明に係る痩身および健康増進用高周波電流駆動システムの腕部正面への電極配置図、
図６は、本発明に係る痩身および健康増進用高周波電流駆動システムの腹部正面への電極配置図、
図７は、本発明に係る痩身および健康増進用高周波電流駆動システムの背中部正面への電極配置図である。
図８は、本発明に係るベッドを活用した痩身および健康増進用高周波電流駆動システムの構成図である。
図９は、本発明に係るベッドを活用した痩身および健康増進用高周波電流駆動システムの使用の態様を示す側面図である。
【発明を実施するための最良の形態】  本発明のその他の詳細、利点および特徴については、添付図面を参照しながら以下に記す実施例によって明らかにされる。
以下、本発明の一実施の形態について添付の図１により説明する。
本願発明に係る痩身用高周波電流駆動システムは、電極２とシステム本体４と電極２とシステム本体４とを接続する導線６とから構成される。
電極２は、その形状によってクリップ電極８とプレート電極１０とベルト電極１２の電極に分別される。その形状は目的に適合するよう構成される。電極２は、特にクリップ電極８とプレート電極１０について複数設けられ、電極毎に異なる波形、位相又は電圧からなる信号が印加できるようにされる。電極数は任意であるが、１２個以上の電極数とすることで電極刺激による十分なカロリーを消費することができる。好適には、標準体重の人間が１時間当たり２００キロカロリーを電極刺激により達成するためには１個当たり１０キロカロリーであるため２０個以上の電極を必要とする。
クリップ電極８は、絶縁体からなる２枚の板部をその一点を支点としてそれぞればねと係合させることで一端を挟み込むよう付勢されて構成される。クリップ電極８の絶縁体の内側に金属や導電体からなる電極板が貼り付けられることによってクリップ電極８に挟まれる生体へシステム本体４より送出される電気信号が伝達される。
プレート電極１０は、導体が接触面に貼付されその対面は絶縁物等からなる電極である。この生体と接触する導体にシステム本体４より送出される電気信号が伝達される。クリップ電極１０で挟み込みが不可能な生体の部分に適用する。
ベルト電極１２は、ベルト内側に導体からなる電極を設けその外側が絶縁体で覆われてその絶縁体のさらに外側に固定用のベルトが配置されることを特徴とする。プレート電極１０で、被覆しきれない生体の部分に配置する際に使用される。
システム本体４は、その前面に接続孔２０が複数設けられ、さらに状態表示用パネル２２と、制御用スイッチ２４とが設けられ、側面に電源用スイッチ２６とが設けられる。
接続孔２０は、電極２に接続される導線６の電極２とは異なる端部に設けられる凸型コネクタ１６を挿入するための導体孔である。接続孔２０は、システム本体４内部で出力増幅装置３６と接続される。
状態表示用パネル２２は、電源表示と信号強度と周波数と動作モード等を表示する液晶パネルである。
制御用スイッチ２４は、信号強度と周波数と動作モードを切り替えるためのスイッチで複数のスイッチが設けられる。
電源用スイッチ２６は、電源のオン、オフを切り替えるスイッチであり、システム本体４の測部に設けられる。
システム本体４の内部をさらにブロックダイヤグラムとしたものを図２に示す。システム本体４は、制御装置３８と出力変調装置４０と出力増幅装置３６と記憶装置４２とから構成される。制御装置３８は、制御線４４で出力変調装置４０と接続され、制御線４６で出力増幅装置３６と電気的に接続される。出力変調装置４０は、複数の出力変調信号線４８で出力増幅装置３６と接続される。出力増幅装置３６は、システム本体４外の電極８、１０、１２と複数の導線６で接続される。
一方、制御装置３８は、バス配線５０で記憶装置４２と接続され、また導線５２を介して状態表示用パネル２２と接続され、導線５４を介して制御用スイッチ２４と接続される。
制御装置３８は、制御用スイッチ２４に従って予め記憶装置４２に記録された複数の制御プログラムから一つの制御プログラムを選択して読出して出力変調装置４０に変調制御信号を送出し、出力増幅装置３６に増幅制御信号を送出し、制御スイッチ２４により制御プログラムの選択状況や信号強度と周波数とを表示するように状態表示用パネル２２表示信号を送出する機能を有する。
出力変調装置４０は、制御装置４４から伝達される変調制御信号に基づき出力信号を生成して指定された周波数及び波形の信号として出力変調信号線４８を介して出力増幅装置３６に伝達する。また、タイミングによって信号送出の有無の制御も行なう。
出力増幅装置３６は、制御装置４４から伝達される増幅制御信号に基づき出力変調装置４０から伝達される出力変調信号の振幅や基準電圧を変更させる装置である。増幅信号は導線６を介して電極８、１０、１２へ伝達される。
記憶装置４２は、信号強度又はパルス振幅と周波数と信号（パルス）発生時間間隔が最適となるよう決定されている筋肉種類別の痩身プログラムを予め複数記憶した装置である。不揮発性であれば読書き可能な記憶装置であってもよく、読みこみ専用の記憶装置であってもよい。また、取り替え可能な記憶装置であればプログラムの変更も容易となる。
続いて、上記装置を用いて各全身の筋肉に本システムを適用した様子を図３乃至図７に示す。図３が人体の大腿筋正面図であり、本装置のクリップ電極４を大腿四頭筋の大腿直筋を挟むように配置し、同じくクリップ電極４をもう一つの腓腹筋と前脛骨筋に配置する。
一方、図４が人体の大腿筋背面図であり図３の背面に相当し、本装置のクリップ電極９を拮抗筋でもあるハムストリングスの大腿二頭筋６０に配置し、一方のクリップ電極４を腓腹筋を挟みこむように配置する。
次に図５に腕部正面図を示す。腕部は上腕にある上腕三等筋を挟み込むようにクリップ電極４を配置する。前腕については、各測手根伸筋を挟み込むようにクリップ電極４を配置する。
図６には、腹部正面図をしめす。腹部の特に直腹筋その他の腹筋群並びに、背面部の広背筋等の背筋群とを両面から挟み込むベルト電極１２を配置する。
図７には、背中部正面図をしめす。背中部の上部には僧帽筋、三角筋等に貼付されるように複数のプレート電極１０が配置される。また、背中部の中部には、広背筋を被覆するようベルト電極１２が配置される。さらに、背中部の下部の大殿筋等の臀部の筋肉群上に貼付されるようにプレート電極１０が配置される。
ここで、本発明に係るプログラムは、クリップ電極８とプレート電極１０とベルト電極１２に電圧５Ｖで周波数５００Ｈｚでパスル幅２００μ秒以上開けて通電時間０．５〜５．５秒として印加し、その後半から、さらに周波数５００Ｈｚでパスル幅１５０〜２２０μ秒以上開けて通電時間７．５〜１０秒で印加することにより痩身効果が得られる。さらに、足下部にさらに負荷を追加することでより痩身効果を向上させることが可能になる。
また、消費エネルギーを増加させるために、主導筋を収縮させる際に拮抗筋を軽く収縮させることが望ましい。主導筋は収縮している間、その張力に対抗して収縮するために消費エネルギーが増加する。筋肉に負荷が加わっていない状態での筋収縮と、主導筋を収縮させる際に拮抗筋を軽く収縮させる筋収縮とを比較するとゴムを引っ張るよう筋収縮させることで。実際の運動と同条件を筋肉に加えることができるため消費エネルギーが増大する。
なお、本実施の形態では２０本の電極を例にとって示したが、電極数は刺激すべき箇所に応じて必要であり、図面に記載した８本以上例えば２４箇所用に２４本の電極を配置してもよく、刺激すべき箇所に応じて増減させても良い。
さらに、運動不足を原因とする生活習慣病を予防改善する事もできるので健康器具としても使用できる。また、リズムを持って筋肉を動かすことで精神面への健康に対する効果も生み出すことができる。
図８及び図９に、本発明に係るベッドを活用した痩身および健康増進用高周波電流駆動システムの構成図と、使用の態様を示す側面図を示す。
図８に示す本発明に係るベッドを活用した痩身および健康増進用高周波電流駆動システムのベッド６１は、２本の脚部６０および６２の間にベッドフレーム６４が渡設される。この渡設されたベッドフレーム６４上に、長辺方向すなわち、人等が臥せる方向の中心部が窪んだ凹部状のベッドマット６５が配置される。このベッドマット６５の上に複数の支持部が連設された電動マット６０が配置される。
電動マット６０は、上体支持部６８と、前記上体支持部６８と回転軸７０を介して連設される腹部支持部７２と、前記腹部支持部７２と第２回転軸７４を介して連設される大腿部支持部７６と、前記大腿部支持部７６と第３回転軸７８を介して連接される脛部支持部８０と、脛部支持部８０と垂直に接合される足支持部８２とから構成される。
これらの上体支持部６８と、腹部支持部７２と、大腿部支持部７６と、前記大腿部支持部７６と、脛部支持部８０と、脛部支持部８０と垂直に接合される足支持部８２それぞれに、図示しないアクチュエータが配置される。
このアクチュエータは、電動機で駆動されて、任意の位置に前記支持体が固定される。アクチュエータは、例えば回転運動を（図示しない）スクリューシャフト及びナット部材と一体となったスライドパイプから直線運動に変換し、そのスライドパイプを上体支持部６８に取り付けられた傾動動作用のブラッケトに枢着させる。
さらに、システム本体４とケーブル５８を接続し、ケーブル５８はベッドフレーム６４に設けられコネクタ端子部５９に接続される。コネクタ端子部５９は、ベッドフレーム６４内で配線されて第２コネクタ端子と接続される。
次に痩身および健康増進用高周波電流駆動システムのベッド６１の使用の態様について図９を用いて示す。
まず、前記上体支持部６８は、回転軸７０を介して連設される腹部支持部７２に対して鈍角１０２となるようにアクチュエータで所定の位置となるように調節される。この鈍角１０２とは、１６０°が好適であるが、限定されるものではない。
また、大腿部支持部７６と、腹部支持部７２とについても同様に配置され、腹部支持部７２に対して大腿部支持部７６が鈍角１０４となるようにアクチュエータで所定の位置となるように調節される。この鈍角１０４とは、１６０°が好適であるが、限定されるものではない。
同様に、腹部支持部７２と、脛部支持部８０とについても同様に配置され、腹部支持部７２に対して脛部支持部８０が鈍角９８となるようにアクチュエータで所定の位置となるように調節される。この鈍角９８とは、１５０°が好適であるが、限定されるものではない。
なお、脛部支持部８０と足支持部８２は９０度となるよう固定されている。
さらに、人体を前記各支持部上に配置し、頭部と肩部が上体支持部６８に位置し、腹部と臀部が腹部支持部７２に位置し、大腿部が大腿部支持部７６上に位置し、脛部が脛部支持部８０上に位置する。また、足部は足支持部８２上に位置する。
このため、腰部と膝部が所定の角度を有して曲がった状態となる。この場合大腿直筋と前脛骨筋が伸張し、大腿二頭筋と腓腹筋とが収縮することとなる。
そこで、先ず大腿部は、本装置のクリップ電極９０、９２を大腿四頭筋の大腿直筋を挟むように配置し、同じくクリップ電極９４、９６を腓腹筋を挟みこむように脛部に配置する。
クリップ電極９０、９２、９４、９６は、それぞれ、導線１０６、１１２、１１６、１２０に接続され、それらの導線がコネクタ１０８、１１２、１１４、１１８に接続される。
また、腹筋と背筋に対してもベルト電極１２が装着される。ベルト電極１２は、導線１０５を介してコネクタ１０７に接続される。
このような配置で本発明に係るクリップ電極９０、９２、９４、９６及びベルト電極１２に所定の信号を印加することで、従来の信号で印加するのと比較して著しい痩身効果が出現する。すなわち、特定の付加を与えることで、エネルギーの消費が著しく高まる。
なお、アクチュエータの動力として電動機を想定したが、必ずしも電動機に限定されるものではなく、油圧による駆動方法や、主導による駆動方法であってもよい。
又、アクチュエータとしてスクリューシャフトを駆動する方式を採用しているが、この方式を他の方式に変更することもでき、例えば、回動軸内にサーボモータを内装して直接制御することもできる。さらに、アクチュエータとしてエアバックまたは液体による体積変化を活用した収縮装置でベッド上の凹凸形状を制御してもその目的を十分達成することができる。
さらに、本システム４からベッド６１への導線への接続としてコネクタを設けて、ベッド内で配線する構成を実施例で示したが、導線は必ずしもベッド内に挿入されることに限定されるものではなく、配線を外部に取り出したままクリップ電極９０、９２、９４、９６としてもよい。
本発明に係るベッドを活用した痩身および健康増進用高周波電流駆動システムを活用することで、単位時間当たりの運動消費カロリーを増加させて、人体が横になったままで痩身効果を得ることができる。
また、痩身効果の他にウェイトトレーニング効果を期待できるため、基礎代謝を向上させることができる。このため、痩せやすく太りにくい体質に改善することができる。
さらに、直接人体に高周波刺激を受けることで、脂肪細胞から脂肪遊離を起こすこととなる。従って目的とする部位のみを部分的に脂肪組織を薄くすることが可能となる。
そのうえ、筋肉をウェイトトレーニング効果で引き締めることで、プロポーションそのものの改善が可能となる。
その他に、病気に対して腹部の刺激により腸の運動が刺激されて便秘の解消が可能となる。
さらに、筋肉の運動により糖尿病患者の血糖値を下げる事が可能となる。
以上本発明の好適な実施例について説明をしたが、本発明は前記実施例に限定されることなく、その精神を逸脱しない範囲内において多くの設計変更が可能である。例えば、本実施例では筋肉刺激部位としてクリップ電極を使用したが貼付電極を使用することで刺激の不十分な領域に対して刺激を印加することが可能となる。その目的のためには、その他の形式の電極であってもよい。
また、本装置において人体を完全なベッド上に固定されなくても、良性姿位をとれることができる装置であれば、ソファ型を含めて応用可能である。
本発明によれば、筋肉の深部に刺激を供給すると共に形状が小型でかつ主働筋と拮抗筋への最適なタイミングで刺激を供給することができる。
【図１】
2004000194.tif 000003
【図２】
2004000194.tif 000004
【図３】
2004000194.tif 000005
【図４】
2004000194.tif 000006
【図５】
2004000194.tif 000007
【図６】
2004000194.tif 000008
【図７】
2004000194.tif 000009
【図８】
2004000194.tif 000010
【図９】
2004000194.tif 000011
【国際調査報告】
2004000194.tif 000012
2004000194.tif 000013
2004000194.tif 000014
2004000194.tif 000015